(57)【要約】【課題】  ユーザの趣味等に適合した適切、有益な情報をユーザに提供すること。【解決手段】  ネットワーク上において所定の情報を収集するエージェントが操作するエージェント端末２０と、情報取得を希望するユーザが操作するユーザ端末１０と、にネットワークを介して接続された情報提供システムであって、ユーザに提供される情報が蓄積される公開情報蓄積手段６０と、エージェント端末が収集した収集情報を当該エージェント端末から収集して、公開情報蓄積手段にエージェント毎に蓄積する情報収集手段４２と、ユーザ端末からエージェントを選択するエージェント選択情報を受信するエージェント選択受付手段３１と、エージェント選択情報にて特定されるエージェントにて収集された収集情報を公開情報蓄積手段から抽出してユーザ端末に送信する情報公開手段３２と、を備えた。【選択図】図１
2006259867.tif 000002
【特許請求の範囲】
【請求項１】
ネットワーク上において所定の情報を収集するエージェントが操作するエージェント端末と、情報取得を希望するユーザが操作するユーザ端末と、にネットワークを介して接続された情報提供システムであって、
前記ユーザに提供される情報が蓄積される公開情報蓄積手段と、
前記エージェント端末が収集した収集情報を当該エージェント端末から収集して、前記公開情報蓄積手段にエージェント毎に蓄積する情報収集手段と、
前記ユーザ端末から前記エージェントを選択するエージェント選択情報を受信するエージェント選択受付手段と、
前記エージェント選択情報にて特定される前記エージェントにて収集された前記収集情報を前記公開情報蓄積手段から抽出して前記ユーザ端末に送信する情報公開手段と、
を備えたことを特徴とする情報提供システム。
【請求項２】
前記エージェントの特性情報が記憶されるエージェント特性記憶手段と、
前記エージェント端末から送信されるエージェントの特性情報を受信して前記エージェント特性記憶手段に記憶するエージェント特性登録手段と、を備えると共に、
前記エージェント選択受付手段は、前記ユーザ端末に対して前記エージェント特性記憶手段に記憶された前記エージェント特性情報を公開すると共に、この公開に応じて選択された前記ユーザ端末によるエージェント選択情報を受信する、
ことを特徴とする請求項１記載の情報提供システム。
【請求項３】
前記エージェント特性情報は、前記エージェントが指定した情報である、ことを特徴とする請求項２記載の情報提供システム。
【請求項４】
前記エージェント特性情報は、前記エージェントによる前記収集情報を収集する際に用いられた検索キーワード情報である、ことを特徴とする請求項３記載の情報提供システム。
【請求項５】
前記エージェントの評価情報が記憶される評価情報記憶手段と、
前記ユーザ端末から前記エージェントの評価情報を受け付けて前記評価情報記憶手段に蓄積する評価情報受付手段と、
前記エージェント端末に対して前記エージェントの評価情報を前記評価情報記憶手段から読み出して送信する評価情報送信手段と、を備えた、
ことを特徴とする請求項１，２，３又は４記載の情報提供システム。
【請求項６】
前記エージェントの評価情報が記憶される評価情報記憶手段と、
前記情報公開手段による前記収集情報の公開状況情報を抽出して当該公開状況情報に基づいて前記エージェントの評価情報を算出し、当該評価情報を前記評価情報記憶手段に蓄積する評価情報算出手段と、
前記エージェント端末に対して前記エージェントの評価情報を前記評価情報記憶手段から読み出して送信する評価情報送信手段と、を備えた、
ことを特徴とする請求項１，２，３，４又は５記載の情報提供システム。
【請求項７】
前記エージェントの評価情報に基づいて当該エージェントに支払われる報酬額を算出する報酬算出手段を備えた、ことを特徴とする請求項５又は６記載の情報提供システム。
【請求項８】
前記エージェントに対する要求情報が記憶される要求情報記憶手段と、
前記ユーザ端末から前記エージェントに対する要求情報を受け付けて前記要求情報記憶手段に蓄積する要求情報受付手段と、
前記エージェント端末に対して前記エージェントに対する要求情報を前記要求情報記憶手段から読み出して送信する要求情報送信手段と、を備えた、
ことを特徴とする請求項１，２，３，４，５，６又は７記載の情報提供システム。
【請求項９】
ネットワーク上において所定の情報を収集するエージェントによる収集情報の取得を希望するユーザが操作するユーザ端末に、ネットワークを介して接続された情報提供用コンピュータであって、
前記ユーザ端末から前記エージェントを選択するエージェント選択情報を受信するエージェント選択受付手段と、
前記エージェント端末が収集した前記収集情報を前記エージェント毎に蓄積する公開情報蓄積手段から、前記エージェント選択情報にて特定される前記エージェントにて収集された前記収集情報を抽出して前記ユーザ端末に送信する情報公開手段と、
を備えたことを特徴とする情報提供用コンピュータ。
【請求項１０】
前記エージェント選択受付手段は、前記エージェントの特性情報が記憶されたエージェント特性記憶手段から前記エージェント特性情報を読み出して前記ユーザ端末に対して公開すると共に、この公開に応じて選択された前記ユーザ端末によるエージェント選択情報を受信する、
ことを特徴とする請求項９記載の情報提供用コンピュータ。
【請求項１１】
前記請求項９又は１０記載の情報提供用コンピュータにて前記ユーザ端末に提供される前記収集情報を収集する情報収集用コンピュータであって、
前記エージェントが操作し、ネットワーク上において所定の情報を収集するエージェント端末にネットワークを介して接続され、当該エージェント端末が収集した収集情報を当該エージェント端末から収集して、公開情報蓄積手段にエージェント毎に蓄積する情報収集手段を備えた、
ことを特徴とする情報収集用コンピュータ。
【請求項１２】
ネットワーク上において所定の情報を収集するエージェントによる収集情報の取得を希望するユーザが操作するユーザ端末にネットワークを介して接続された情報提供用コンピュータに、
前記ユーザ端末から前記エージェントを選択するエージェント選択情報を受信するエージェント選択受付手段と、
前記エージェント端末が収集した前記収集情報を前記エージェント毎に蓄積する公開情報蓄積手段から、前記エージェント選択情報にて特定される前記エージェントにて収集された前記収集情報を抽出して前記ユーザ端末に送信する情報公開手段と、
を実現するための情報提供用プログラム。
【請求項１３】
前記エージェント選択受付手段は、前記エージェントの特性情報が記憶されたエージェント特性記憶手段から前記エージェント特性情報を読み出して前記ユーザ端末に対して公開すると共に、この公開に応じて選択された前記ユーザ端末によるエージェント選択情報を受信する、
ことを特徴とする請求項１２記載の情報提供用プログラム。
【請求項１４】
前記請求項９又は１０記載の情報提供用コンピュータにて前記ユーザ端末に提供される前記収集情報を収集する情報収集用コンピュータに、
前記エージェントが操作し、ネットワーク上において所定の情報を収集するエージェント端末にネットワークを介して接続され、当該エージェント端末が収集した収集情報を当該エージェント端末から収集して、公開情報蓄積手段にエージェント毎に蓄積する情報収集手段、を実現するための情報収集用プログラム。
【請求項１５】
ネットワーク上において所定の情報を収集するエージェントが操作するエージェント端末と、情報取得を希望するユーザが操作するユーザ端末と、にネットワークを介して接続された１台又は複数台のコンピュータを用いた情報提供方法であって、
前記コンピュータが、
前記エージェント端末が収集した収集情報を当該エージェント端末から収集して、公開情報蓄積手段にエージェント毎に蓄積し、
前記ユーザ端末から前記エージェントを選択するエージェント選択情報を受信し、
前記エージェント選択情報にて特定される前記エージェントにて収集された前記収集情報を前記公開情報蓄積手段から抽出して前記ユーザ端末に送信する、
を備えたことを特徴とする情報提供方法。
【請求項１６】
前記コンピュータが、
前記ユーザ端末から前記エージェント選択情報を受信する前に、前記ユーザ端末に対してエージェント特性記憶手段に記憶されたエージェントの特性情報を公開する、
ことを特徴とする請求項１５記載の情報提供方法。
【発明の詳細な説明】
【技術分野】
【０００１】
本発明は、情報提供システムにかかり、特に、エージェントが収集した情報をユーザに提供するシステムに関する。
【背景技術】
【０００２】
現在、ネットワーク上、すなわち、種々のウェブサイトから情報を収集する方法として、検索エンジンにキーワードを入力して推薦されるページを閲覧するという方法が一般的である。この方法では、探したいトピックが決まっていて、必要としている情報が明確な場合は効果的である。しかし、特に決まったトピックはないが何か興味を惹くものを探したいといった、テレビを見る時のような受動的に情報を得たいという場合には不向きである。つまり、検索エンジンを利用する場合には、量・質ともに成長し続ける情報の中からキーワードだけで必要とする情報に到達することは困難になりつつあるという問題が生じている。
【０００３】
ここで、仮に、趣味が合い、かつ頻繁に更新されるホームページが存在した場合、そのページを定期的に閲覧することで上記の要求は解消される。また、近年Weblog（ブログ）と呼ばれるサイトが成長しており、これはサイト製作者が興味を惹かれたウェブサイト上のトピックにコメントを付けてニュース形式で発信するというものであり、閲覧する人とサイト製作者の趣向が合えば、閲覧する人は興味のあるトピックに次々に到達することができる。しかし、そのようなサイトは必ずしも存在するとは限らず、また、情報は膨大に存在するため、その他のサイトからも情報を収集する必要が生じうる。
【０００４】
【特許文献１】特開２００１−７６００２号公報
【特許文献２】特開２００１−２２９２７１号公報
【発明の開示】
【発明が解決しようとする課題】
【０００５】
そして、上記問題を解決する方法として、エージェントソフトウェアにユーザが検索ワードなどのデータを入力して、種々のウェブサイトを自動巡回させるという手法が考えられるが、常に変化し続けるユーザの興味に対応することは依然として困難であった。例えば、特許文献１には、エージェントソフトウェアが収集した情報とユーザ特性とを比較してエージェント特性を修正しながらネットワーク上の関連性の高い情報を集めるというシステムが開示されている。また、特許文献２にも同様に、キャラクターであるエージェントソフトウェアが、ユーザにて入力された検索キーワードに基づいて検索を行う、というシステムが開示されている。このように、ロボットエージェントにより情報を収集するという発想は以前からあるが、人間の突発的にひらめく興味や、それまでに存在しない時事的なトピックなどへの興味に対応するには、複雑なアルゴリズムを考え出す必要があり、依然として適切な情報を収集することは困難であった。
【０００６】
このため、本発明は、上記従来例の有する不都合を改善し、特に、ユーザの趣味等に適合し、適切で有益な情報をユーザに提供すること、をその目的とする。
【課題を解決するための手段】
【０００７】
そこで、本発明の一形態である情報提供システムは、
ネットワーク上において所定の情報を収集するエージェントが操作するエージェント端末と、情報取得を希望するユーザが操作するユーザ端末と、にネットワークを介して接続された情報提供システムであって、
ユーザに提供される情報が蓄積される公開情報蓄積手段と、
エージェント端末が収集した収集情報を当該エージェント端末から収集して、公開情報蓄積手段にエージェント毎に蓄積する情報収集手段と、
ユーザ端末からエージェントを選択するエージェント選択情報を受信するエージェント選択受付手段と、
エージェント選択情報にて特定されるエージェントにて収集された収集情報を公開情報蓄積手段から抽出してユーザ端末に送信する情報公開手段と、
を備えたことを特徴としている。
【０００８】
また、上記構成に加えて、
エージェントの特性情報が記憶されるエージェント特性記憶手段と、
エージェント端末から送信されるエージェントの特性情報を受信してエージェント特性記憶手段に記憶するエージェント特性登録手段と、を備えると共に、
エージェント選択受付手段は、ユーザ端末に対してエージェント特性記憶手段に記憶されたエージェント特性情報を公開すると共に、この公開に応じて選択されたユーザ端末によるエージェント選択情報を受信する、
ことを特徴としている。
【０００９】
そして、エージェント特性情報は、エージェントが指定した情報であり、例えば、エージェントによる収集情報を収集する際に用いられた検索キーワード情報である、ことを特徴としている。
【００１０】
上記発明によると、まず、人間であるエージェントが収集した情報が、エージェント毎に蓄積される。この蓄積された情報は、常に派生していく人間の興味に対応した情報となっている。そして、ユーザがあるエージェントを選択することによって、当該エージェントが収集した情報を取得することができる。これにより、ロボット検索による一義的な検索を抑制することができ、ユーザは多様な情報を取得することができるため、より有益な情報を取得することができる。
【００１１】
特に、予めエージェントによる検索キーワードなどを表す情報を登録し、かかる情報をユーザに提示してこれに基づいてエージェントを選択させることにより、ユーザは、自己と趣味が共通するエージェントを選択でき、かかるエージェントが収集した情報をユーザが取得することができるため、より有益な情報を取得することができる。
【００１２】
また、エージェントの評価情報が記憶される評価情報記憶手段と、
ユーザ端末からエージェントの評価情報を受け付けて評価情報記憶手段に蓄積する評価情報受付手段と、
エージェント端末に対してエージェントの評価情報を評価情報記憶手段から読み出して送信する評価情報送信手段と、を備えた、
ことを特徴としている。
【００１３】
また、エージェントの評価情報が記憶される評価情報記憶手段と、
情報公開手段による収集情報の公開状況情報を抽出して当該公開状況情報に基づいてエージェントの評価情報を算出し、当該評価情報を評価情報記憶手段に蓄積する評価情報算出手段と、
エージェント端末に対してエージェントの評価情報を評価情報記憶手段から読み出して送信する評価情報送信手段と、を備えた、
ことを特徴としている。
【００１４】
さらに、上記エージェントの評価情報に基づいて当該エージェントに支払われる報酬額を算出する報酬算出手段を備えた、ことを特徴としている。
【００１５】
また、エージェントに対する要求情報が記憶される要求情報記憶手段と、
ユーザ端末からエージェントに対する要求情報を受け付けて要求情報記憶手段に蓄積する要求情報受付手段と、
エージェント端末に対してエージェントに対する要求情報を要求情報記憶手段から読み出して送信する要求情報送信手段と、を備えた、
ことを特徴としている。
【００１６】
これにより、エージェントにて収集された収集情報に基づいて、ユーザによる評価や、アクセス数による評価情報が蓄積され、かかる情報がエージェント端末に送信される。また、情報を取得したユーザによるエージェントに対する要求もエージェント端末に送信される。従って、エージェントは評価や要求に応じて情報収集を行うこととなり、より有益な情報の収集が期待でき、エージェントによって蓄積される情報の充実化を図ることができる。
【００１７】
また、本発明の他の形態である情報提供用コンピュータは、
ネットワーク上において所定の情報を収集するエージェントによる収集情報の取得を希望するユーザが操作するユーザ端末に、ネットワークを介して接続された情報提供用コンピュータであって、
ユーザ端末からエージェントを選択するエージェント選択情報を受信するエージェント選択受付手段と、
エージェント端末が収集した収集情報を前記エージェント毎に蓄積する公開情報蓄積手段から、エージェント選択情報にて特定されるエージェントにて収集された収集情報を抽出してユーザ端末に送信する情報公開手段と、
を備えたことを特徴としている。
【００１８】
そして、上記情報提供用コンピュータにおいて、
エージェント選択受付手段は、エージェントの特性情報が記憶されたエージェント特性記憶手段からエージェント特性情報を読み出してユーザ端末に対して公開すると共に、この公開に応じて選択されたユーザ端末によるエージェント選択情報を受信する、
ことを特徴としている。
【００１９】
さらに、本発明の他の形態である情報収集用コンピュータは、
上記の情報提供用コンピュータにてユーザ端末に提供される収集情報を収集する情報収集用コンピュータであって、
エージェントが操作し、ネットワーク上において所定の情報を収集するエージェント端末にネットワークを介して接続され、当該エージェント端末が収集した収集情報を当該エージェント端末から収集して、公開情報蓄積手段にエージェント毎に蓄積する情報収集手段を備えた、
ことを特徴としている。
【００２０】
また、本発明では、上記情報提供用コンピュータ、あるいは、情報収集用コンピュータに、それぞれ上述した各手段を実現するためのプログラム（情報提供用プログラム、情報収集用プログラム）をも提供している。
【００２１】
さらに、本発明の他の形態である情報提供方法は、
ネットワーク上において所定の情報を収集するエージェントが操作するエージェント端末と、情報取得を希望するユーザが操作するユーザ端末と、にネットワークを介して接続された１台又は複数台のコンピュータを用いた情報提供方法であって、
コンピュータが、
エージェント端末が収集した収集情報を当該エージェント端末から収集して、公開情報蓄積手段にエージェント毎に蓄積し、
ユーザ端末からエージェントを選択するエージェント選択情報を受信し、
エージェント選択情報にて特定されるエージェントにて収集された収集情報を公開情報蓄積手段から抽出してユーザ端末に送信する、
を備えたことを特徴としている。
【００２２】
そして、上記方法において、コンピュータが、ユーザ端末からエージェント選択情報を受信する前に、ユーザ端末に対してエージェント特性記憶手段に記憶されたエージェントの特性情報を公開する、ことを特徴としている。
【００２３】
上記構成の情報提供用コンピュータ、情報収集用コンピュータ、プログラム、情報提供方法であっても、上述した情報提供システムと同様に作用するため、上記本発明の目的を達成することができる。
【発明の効果】
【００２４】
本発明は、以上のように構成され機能するので、これによると、ユーザがあるエージェントを選択することによって、当該エージェントが収集した情報を取得することができるため、これにより、ロボット検索による一義的な検索結果ではなく、ユーザは人間の特性に応じた多様な情報を取得することができるため、より有益な情報を取得することができる、という従来にない優れた効果を有する。
【発明を実施するための最良の形態】
【００２５】
本発明は、エージェントとなる人が収集する情報を自動で発信することが可能となり、ユーザとエージェントを興味や性格に応じてマッチングさせることで、ユーザにとって有益である情報を提供することができる、という点に特徴を有する。すなわち、本発明では、情報収集エージェントとしてロボットではなく人を利用することとしている。以下、上記特徴を実現するための具体的な構成及び作用を、実施例を参照して説明する。
【実施例１】
【００２６】
本発明の第１の実施例を、図１乃至図５を参照して説明する。図１は、本発明の全体構成を示すブロック図であり、図２乃至図３は、詳細な構成を示す機能ブロック図である。図４乃至図５は、本発明の動作を示すシーケンス図である。
【００２７】
［構成］
本発明である情報提供システムは、ネットワーク上において所定の情報を収集するエージェントが操作するエージェント端末２０と、情報取得を希望するユーザが操作するユーザ端末１０と、にネットワークを介して接続されている。そして、この情報提供システムは、図１に示すように、公開サーバ３０と、エージェントサーバ４０と、評価サーバ５０と、エージェントデータベース６０と、評価データベース７０と、を備えている。公開サーバ３０とエージェントサーバ４０と評価サーバ５０とは、インターネット１００を介してユーザ端末１０とエージェント端末２０とに接続されており、また、エージェントデータベース６０と評価データベース７０とは、公開サーバ３０とエージェントサーバ４０と評価サーバ５０とに社内ＬＡＮなどのローカルネットワーク２００を介して接続されている。なお、これらデータベース６０，７０は、各サーバ３０，４０，５０と直接接続されていてもよい。以下、各端末１０，２０、各サーバ３０，４０，５０、各データベース６０，７０について詳述する。なお、各端末やサーバなどに組み込まれたＣＰＵなどの演算装置には、所定のプログラムが組み込まれることにより、以下に説明するよう作動するための機能が構築されている。
【００２８】
＜ユーザ端末＞
ユーザ端末１０は、各利用者が所有するパーソナルコンピュータ等の情報処理装置であり、インターネットからブラウザを経由して公開サーバ３０にアクセスする。そして、公開サーバ３０から取得した情報を、ブラウザに表示させる。ユーザは、後述するように、公開サーバ３０から送信されるエージェントの性格や嗜好、検索キーワードなどの特性情報を参照して、ユーザの興味に合うエージェントを選択することができる。なお、エージェントの選択に迷うユーザは、公開サーバ３にてユーザ端末１０画面上で実行されるアンケートによる性格判断などのパーソナル情報により推薦される中からユーザに適したエージェントを選択することができる。また、選択したエージェントに要望がある場合、要望を公開サーバ３０に送信して、登録することができる。さらに、エージェントに対する評価を公開サーバ３０に送信して、登録することができる。
【００２９】
＜エージェント端末＞
エージェント端末２０は、エージェントとして登録した人が所有するパーソナルコンピュータ等の情報処理装置であり、エージェント専用のソフトウェアをインストールし、インストールしたエージェントソフトウェアを利用してウェブサイトを閲覧することで情報を収集する。エージェントは、興味のあるトピックや単語などをエージェントソフトウェアに入力しておくことで、エージェントの性格、すなわち、特性情報としてエージェントサーバ４０に送信して登録する。エージェントソフトウェアは、ウェブブラウザのアドオンやウェブブラウザそのものであり、エージェントが入力した検索語などの文字情報、巡回したウェブリンク、巡回したウェブページに頻出する語など、エージェントがウェブ閲覧した情報を監視し、エージェントサーバ４０に送信する。エージェントは匿名であり、巡回したウェブページのログイン画面、パスワード入力画面、ウェブメールの画面などは監視対象外とし、エージェントの個人情報は監視／登録されないようにする。
【００３０】
また、エージェント端末２０は、エージェントサーバ４０にアクセスすることで、収集された情報をエージェントが確認することができ、不要な情報や公開したくない情報を削除することができる。エージェントとして登録した人は、エージェント端末２０より評価サーバ５０にアクセスすることができ、評価と評価に応じた報酬を確認することができる。また、報酬を受け取る際にエージェントは評価サーバ５０やエージェントサーバ４０に対して個人情報を入力し、報酬の受け取り方、受け取り先住所、銀行口座などの情報を登録することで、報酬を受け取ることができる。
【００３１】
＜エージェントデータベース＞
エージェントデータベース６０は、エージェント端末２０でエージェントが収集した収集情報を、当該エージェント毎に蓄積するデータベース（公開情報蓄積手段）であり、サーバコンピュータなどにより構成されている。そして、このデータベースに蓄積された収集情報は、エージェント端末２０からの要求に応じて当該エージェント端末２０に送信したり、あるいは、変更されて登録し直されたりする。そして、後に、ユーザに対して提供される。
【００３２】
また、エージェントデータベース６０には、エージェントにより指定され、エージェット端末６０から送信されたエージェントの性格や趣味を表す情報や、エージェントによる情報収集の際に用いされた検索キーワードなどの情報が蓄積される。すなわち、このデータベース６０は、エージェントの特性情報が記憶されるエージェント特性記憶手段としての役割を果たす。これらエージェントの特性情報は、後にユーザ端末１０に対して公開され、ユーザが情報取得する際の参考データとなる。
【００３３】
＜評価データベース＞
評価データベース７０は、後述するように、評価サーバ５０から送信される各エージェントの評価情報を蓄積する。この蓄積される評価情報には、ユーザ端末１０を介してユーザにて入力されたエージェントの評価を表す情報や、評価サーバ５０が公開サーバ３０から取得した各エージェントによる収集情報の公開状況（アクセス状況など）に応じて算出された評価を表す情報、また、ユーザからエージェントに対する要求を表す要求情報などが含まれる。さらには、上記評価に基づいて算出されたエージェントに対して支払われる報酬額や、各エージェントによって指定された報酬の支払い方法を表す情報などが記憶されている。このように、評価データベース７０は、評価情報記憶手段、要求情報記憶手段、報酬情報記憶手段としての役割を果たす。なお、これらの情報は、エージェント端末２０からの要求に応じて、評価サーバ２０を介して送信される。
【００３４】
＜エージェントサーバ＞
エージェントサーバ４０（情報収集用コンピュータ）は、一般的なサーバコンピュータであり、その演算装置には、情報収集用プログラムが組み込まれることにより、エージェント登録処理部４１と、情報収集処理部４２と、が構築されている。エージェント登録処理部４１（エージェント特性登録手段）は、上述したようにエージェント端末２０から送信されるエージェントの特性情報、すなわち、エージェントの趣味や当該エージェントによる検索キーワードなどを受信して、エージェント毎にエージェントデータベース６０に記憶する。また、情報収集処理部４２（情報収集手段）は、上述したようにエージェント端末２０が収集した収集情報を当該エージェント端末２０から収集して、エージェントデータベース６０にエージェント毎に区別して、適当な形式に変換して記憶する。このとき、例えば、エージェント毎に、上記エージェントの特性情報と収集情報とを関連付けて記憶する。また、この情報収集処理部４２は、エージェント端末２０からのアクセスに応じて当該エージェントによる収集情報を送信し、これに対するエージェント端末２０からの修正指示や削除指示などを受け付けて、指示に従って編集した収集情報をエージェントデータベース６０に格納し直す。
【００３５】
＜公開サーバ＞
公開サーバ３０（情報提供用コンピュータ）は、一般的なサーバコンピュータであり、その演算装置には、情報提供用プログラムが組み込まれることにより、エージェント選択受付処理部３１と、情報公開処理部３２と、が構築されている。エージェント選択受付処理部３１（エージェント選択受付手段）は、情報取得要求してきたユーザ端末１０に対して、まず、エージェントデータベース６０に格納されているエージェント一覧を送信する。このとき、上述したようにエージェントの性格等を表す特性情報をユーザ端末１０に送信して公開する。これに対して、ユーザ端末１０からはエージェントを選択する旨のエージェント選択情報が送信されるため、エージェント選択受付処理部３１はこれを受信して、情報公開処理部３２に通知する。情報公開処理部３２（情報公開手段）は、上記受信したエージェント選択情報にて特定されるエージェントによる収集情報をエージェントデータベース６０から抽出し、ユーザ端末１０に送信する。なお、公開サーバ３０には、さらに、ユーザに対してエージェントの特性情報と共にいずれかのエージェントを薦める旨の情報をも送信するエージェント推薦機能も有する。また、ユーザ端末１０から送信されたエージェントへの要望や評価情報をも受け付ける要望評価受付機能も有する。但し、本実施例では、要望評価受付機能は、後述するように、評価サーバ５０が備えていてもよい。
【００３６】
＜評価サーバ５０＞
評価サーバ５０（評価用コンピュータ）は、一般的なサーバコンピュータであり、その演算装置には、評価用プログラムが組み込まれることにより、評価受付処理部５１と、アクセス評価算出処理部５２と、報酬算出処理部５３と、評価通知処理部５４と、が構築されている。
【００３７】
評価受付処理部５１（評価情報受付手段）は、ユーザ端末１０からエージェントの評価情報を受け付けて、エージェント毎に評価データベース７０に蓄積する。また、この評価受付処理部５１は、ユーザ端末からエージェントに対する要求情報をも受け付けて、評価データベース５０に蓄積する。従って、この評価受付処理部５１は、要求情報受付手段としての機能も有する。なお、この評価受付処理部５１は、上記公開サーバ３０が有していてもよい。
【００３８】
また、アクセス評価算出処理部５２（評価情報算出手段）は、公開サーバ３０からユーザ端末１０に対する収集情報の公開状況を表す情報を抽出して、当該公開状況情報に基づいてこの公開された収集情報を収集したエージェントの評価情報を算出し、評価データベース７０に蓄積する。例えば、収集情報へのアクセス数やアクセス時間帯などから、予め設定された算出式に基づいて、エージェントに対する評価を下す。具体的には、エージェントの収集情報に全くアクセスが無い場合には、そのエージェントに対して低い評価が算出される。これにより、特定のユーザからの主観的な評価に依存することなく、客観的な評価を算出することができる。
【００３９】
また、報酬算出処理部５３（報酬算出手段）は、上記蓄積されたエージェントに対する評価情報に基づいて、当該エージェントに支払われる報酬額を算出し、報酬データベース７０に蓄積する。この報酬額の算出基準を表す情報は予め記憶されており、かかる情報と、評価情報とに基づいて、評価の高低に応じた報酬額が算出される。
【００４０】
評価通知処理部５４（評価情報送信手段、要求情報送信手段）は、上述したように評価データベース７０に蓄積された評価情報、要求情報、報酬額情報を、エージェント端末２０からの要求に応じて読み出して送信する。また、これに伴い、エージェント端末２から報酬額の決済要求があると、予め評価データベース７０やエージェントデータベース６０登録されているエージェントの銀行口座番号などの決済情報を読み出して、この決済情報に従って上記報酬額に相当する金額を支払う処理を行う。
【００４１】
［動作］
次に、上記構成の情報提供システムの動作を、図４乃至図５のシーケンス図を参照して説明する。まず、エージェント端末２０にインストールされたエージェントソフトウェアは、エージェントがウェブ巡回した時の情報を収集し、当該収集情報をエージェントサーバ４０に送信する（ステップＡ１）。これら収集情報を受信したエージェントサーバ４０は、かかる情報を必要に応じて成形し、エージェントデータベース６０へ格納する（ステップＡ２）。なお、エージェント端末２０からは、事前にエージェントの性格などを表す特性情報がエージェントデータベース６０に登録されていたり、あるいは、収集情報の送信の際に、収集の際に用いられた検索キーワードなどがエージェントの特性情報としてエージェントデータベース６０に送信され、当該データベース６０に登録される。
【００４２】
続いて、エージェントは収集された情報をエージェント端末２０から確認することができる（ステップＡ３）。つまり、エージェントからのアクセス要求を受けたエージェントサーバ４０は、エージェントデータベース６０にアクセスして（ステップＡ４）、当該エージェントデータベース６０から送信されるエージェントによって蓄積された収集情報を取得し（ステップＡ５）、エージェント端末２０に送信して表示する（ステップＡ６）。このとき、過去に収集した情報をエージェントが編集したい場合、エージェント端末２０を用いてエージェントサーバ４０にアクセスし（ステップＡ７）、エージェントサーバ４０経由でデータベースの内容を変更登録する（ステップＡ８，Ａ９）。このとき、編集された内容は、エージェントサーバ４０経由でエージェント端末２０に表示される（ステップＡ１０，Ａ１１）。
【００４３】
続いて、ユーザが情報の取得を希望する場合には、まず、ユーザ端末１０にて公開サーバ３０にアクセスし（ステップＡ１２）、公開ポータルを表示する（ステップＡ１３）。このとき、公開サーバ３０は、エージェントデータベース６０からエージェントの特性情報を読み出して、公開ポータルに公開する（図示せず）。これにより、ユーザは、各エージェントの特性を知ることができ、かかる情報に基づいて、エージェントを選択することができる。このように、ユーザが公開ポータルよりエージェントを選択することで（ステップＡ１４）、選択したエージェントが収集した収集情報が公開サーバ３０にてエージェントデータベース６０から抽出され（ステップＡ１５，Ａ１６）、ユーザ端末１０に表示することができる（Ａ１７、図５に進む）。
【００４４】
その後、収集情報を閲覧したユーザがエージェントに対して、収集して欲しい情報などの要望がある場合は、公開サーバ３０を介して要求情報を登録することができる（ステップＡ１８，Ａ１９）。なお、この図では、公開サーバ３０からエージェントデータベース６０に要求情報を登録する場合を図示しているが、評価サーバ５０を介して評価データベース７０に要求情報を登録しても良い。また、情報を閲覧したユーザは、エージェントの報酬決定に用いられる評価を、評価サーバ５０を介して登録することができる（ステップＡ２０，Ａ２１）。
【００４５】
さらに、評価サーバ５０では、エージェントの人気やユーザの評価などから各エージェントの評価を算出し、評価データベース７０に評価情報を格納する（ステップＡ２２）。評価が決定されると評価情報に応じて各エージェントの報酬を決定する（ステップＡ２３，Ａ２４，Ａ２５）。
【００４６】
その後、評価されたエージェントは、評価サーバ５０にアクセスして評価や報酬、要望の確認を要求することで、評価、報酬、要望などを確認することができる（ステップＡ２６，Ａ２７，Ａ２８，Ａ２９）。そして、エージェントは、報酬の受け取り方や個人情報を登録することで、報酬受け取りの申請を行うことができる（ステップＡ３０，Ａ３１）。なお、上記では、エージェント毎の報酬の受け取り方などの個人情報が評価サーバ５０に登録されている場合を例示しているが、エージェントデータベース６０など他のコンピュータに登録されていてもよく、また、その登録は事前に行われていてもよい。
【００４７】
そして、報酬受け取り申請を受信した評価サーバ５０は、評価データベース７０から報酬データを取得し（ステップＡ３２，Ａ３３）、銀行口座等を用いてエージェントに報酬を支払う（ステップＡ３４，Ａ３５）。
【００４８】
上記発明によると、まず、人間であるエージェントが収集した情報が、エージェント毎に蓄積される。従って、この蓄積された情報は、常に派生していく人間の興味に対応した情報となっている。そして、ユーザが自己の興味のあるエージェントを選択することによって、当該エージェントが収集した情報を取得することができるため、ロボット検索による一義的な検索を抑制することができ、ユーザは多様な情報を取得することができるため、より有益な情報を取得することができる。
【００４９】
また、エージェントは、ユーザによる評価や、アクセス数による評価情報を得ることができると共に、さらには、評価に応じた報酬を受けることができるため、情報収集意欲が高まり、より有益な情報の収集が期待できると共に、エージェントによって蓄積される情報の充実化を図ることができる。
【実施例２】
【００５０】
次に、本発明の第２の実施例を、図６乃至図７を参照して説明する。図６は、第２の実施例における全体構成を示し、図７は当該実施例２の動作を示す。本実施例は、エージェントによって収集されエージェントデータベース６０に格納されたデータが更新された際、メールサーバ８０を利用してユーザに更新された内容をメールで送信する点で上述した実施例１とは異なる。
【００５１】
［構成］
本実施例における情報提供システムは、基本的な構成は実施例１の場合と同様である。但し、本実施例では、図６に示すように、メールサーバ８０を備えている。これに伴い、本実施例では、公開サーバ３０の有する機能が異なる。
【００５２】
本実施例における公開サーバ３０は、ユーザ端末１０に対して公開した所定のエージェントの収集情報について、エージェントデータベース６０内で更新されていないかどうかを監視する。そして、更新があった場合には、その旨及び更新された収集情報をメールサーバ８０に通知する。これに応じて、メールサーバ８０は、ユーザ端末１０に対して更新された収集情報を含むメールを送信する。
【００５３】
［動作］
次に、上記本実施例におけるシステムの動作を、図７を参照して説明する。まず、エージェント端末２０により情報を収集し、エージェントデータベース６０にデータを格納する動作（ステップＡ１からＡ１１）と、ユーザ端末１０からエージェントを選択して、当該選択されたエージェントの収集情報をユーザ端末１０に表示する動作（ステップＡ１２からＡ１７）は、上述した実施例１（図４参照）と同様である。
【００５４】
続いて、公開サーバ３０は、ユーザが選択したエージェントの収集情報を設定された時間間隔で更新されていないか確認する（ステップＢ１，Ｂ２）。収集データが更新されていた場合、更新された収集情報をメールで送信するようメールサーバ８０に要求する（ステップＢ３）。送信要求されたメールサーバ８０は、ユーザ端末１０に更新された収集情報をメールで送信する（ステップＢ４）。これにより、かかるメールに含まれている更新情報を、ユーザが取得して閲覧することができる。
【００５５】
そして、その後のユーザ端末１０からエージェントへの要望／評価を送信する動作（図５のステップＡ１８からＡ２１）と、評価サーバ５０がエージェントを評価し報酬を支払うまでの動作（図５のステップＡ２２からＡ３５）は、上述した実施例１の場合と同様である。
【００５６】
以上により、本実施例では、メールサーバ８０により更新内容を送信するというように構成されているため、ユーザは公開ポータルに自らアクセスすることなく新しい情報を取得することができる。
【産業上の利用可能性】
【００５７】
本発明は、ユーザに情報を提供する検索システムとして利用することが可能であり、産業上の利用可能性を有する。
【図面の簡単な説明】
【００５８】
【図１】実施例１における全体構成を示すブロック図である。
【図２】エージェントサーバと公開サーバとの構成を示す機能ブロック図である。
【図３】評価サーバの構成を示す機能ブロック図である。
【図４】実施例１における動作を示すシーケンス図である。
【図５】実施例１における動作を示すシーケンス図であり、図４の続きを示す。
【図６】実施例２における全体構成を示すブロック図である。
【図７】実施例２における動作を示すシーケンス図である。
【符号の説明】
【００５９】
１０  ユーザ端末
２０  エージェント端末
３０  公開サーバ（情報提供用コンピュータ）
３１  エージェント選択受付処理部（エージェント選択受付手段）
３２  情報公開処理部（情報公開手段）
４０  エージェントサーバ（情報収集用コンピュータ）
４１  エージェント登録処理部（エージェント特性登録手段）
４２  情報収集処理部（情報収集手段）
５０  評価サーバ（評価用コンピュータ）
５１  評価受付処理部（評価情報受付手段、要求情報受付手段）
５２  アクセス評価算出処理部（評価情報算出手段）
５３  報酬算出処理部（報酬算出手段）
５４  評価通知処理部（評価情報送信手段、要求情報送信手段）
６０  エージェントデータベース（公開情報蓄積手段、エージェント特性記憶手段）
７０  評価データベース（評価情報記憶手段、要求情報記憶手段）
【図１】
2006259867.tif 000003
【図２】
2006259867.tif 000004
【図３】
2006259867.tif 000005
【図４】
2006259867.tif 000006
【図５】
2006259867.tif 000007
【図６】
2006259867.tif 000008
【図７】
2006259867.tif 000009